(57)【要約】【課題】  子供に窮屈な姿勢を強いることなく、子供の前方へのずれを防止することのできる乳母車の座席を提供する。【解決手段】  乳母車の座席１０は、座面１１と、背もたれ面１２と、足支え面１５と、股ベルト１３と、一対の腰ベルト１４とを備える。座面１１の前方端領域には、上方に突出した突出部２０が設けられている。突出部２０は、中央突出部２１と、その両側に位置する一対の側部突出部２２とを含む。【選択図】      図３
2005193789.tif 000002
【特許請求の範囲】
【請求項１】
座面と背もたれ面とからなる座席を備えた乳母車において、
前記座面は、その前方端領域に、上方に突出した突出部を有することを特徴とする、乳母車。
【請求項２】
前記突出部は、前記座面の前方端領域の全幅に亘って形成されている、請求項１に記載の乳母車。
【請求項３】
前記突出部は、幅方向の中央に位置する中央突出部と、この中央突出部の両側に位置する一対の側部突出部とを含み、
前記中央突出部の突出高さは、前記側部突出部の突出高さよりも大きい、請求項１または２に記載の乳母車。
【請求項４】
前記突出部は、平坦な上面を有している、請求項１〜３のいずれかに記載の乳母車。
【請求項５】
芯材とこの芯材を覆うカバー部材とを備え、乳母車の車体に装着されて座部と背もたれ部とからなる座席を形成する座席ハンモックにおいて、
前記座部は、その前方端領域に、上方に突出した突出部を有することを特徴とする、乳母車の座席ハンモック。
【請求項６】
前記座部の前方端領域において、前記芯材の上面と前記カバー部材との間に前記突出部を形成する中間部材を含む、請求項５に記載の乳母車の座席ハンモック。
【請求項７】
前記座部の前方端領域において、前記芯材は、前記突出部を形成する突出部分を一体的に有している、請求項５に記載の乳母車の座席ハンモック。
【請求項８】
乳母車の車体に装着されて座部と背もたれ部とからなる座席を形成する座席芯材において、
前記芯材の座部は、その前方端領域に、上方に突出した突出部を有することを特徴とする、乳母車の座席芯材。
【発明の詳細な説明】
【技術分野】
【０００１】
この発明は、乳母車に関し、特に座席の座面形状の改良に関するものである。
【背景技術】
【０００２】
図１および図２は、乳母車の座席に子供が着座している状態を示している。乳母車は、通常、座部１と背もたれ部２とからなる座席を備える。座席には、着座した子供の身体を拘束するためのシートベルトが設けられている。シートベルトは、通常、子供の股間を上方に延びる股ベルト３と、股ベルトの上端部に連結される一対の腰ベルト４とを含む。腰ベルト４に加えて一対の肩ベルトを有するシートベルトもある。
【０００３】
上記のようなシートベルトを備えた乳母車は、例えば、実開昭６３−１６６８６７号公報（特許文献１）、実開昭６４−４８３６１号公報（特許文献２）、実開平２−１０７３５９号公報（特許文献３）および特開平８−８９３１４号公報（特許文献４）に開示されている。
【特許文献１】実開昭６３−１６６８６７号公報
【特許文献２】実開昭６４−４８３６１号公報
【特許文献３】実開平２−１０７３５９号公報
【特許文献４】特開平８−８９３１４号公報
【発明の開示】
【発明が解決しようとする課題】
【０００４】
座席に子供を着座させた状態で乳母車を移動操作していると、子供の身体は前方に向かってずれて行く傾向がある。この前方への移動は股ベルト３によって止められるので、子供の股間に大きな荷重が集中して加わり、子供に対して不快感を与える。
【０００５】
座部１の前方部分を上方に大きく傾斜させれば前方への身体のずれを防止することは可能である。しかしながら、子供の腹部が過度に屈曲して圧迫されることになるので、酸素飽和度の低下を招くおそれがある。
【０００６】
この発明の目的は、子供に窮屈な姿勢を強いることなく、子供の前方へのずれを防止することのできる乳母車を提供することである。
【０００７】
この発明の他の目的は、子供の前方へのずれを防止することのできる座席ハンモックを提供することである。
【０００８】
この発明のさらに他の目的は、子供の前方へのずれを防止することのできる座席芯材を提供することである。
【課題を解決するための手段】
【０００９】
この発明に従った乳母車は、座面と背もたれ面とからなる座席を備える。座面は、その前方端領域に、上方に突出した突出部を有する。
【００１０】
上記構成の本発明によれば、子供の両太腿が突出部上に位置することにより、座席上での子供の前方へのずれが防止される。座面の中央領域および後方端領域に関しては、特に形状の変化や傾斜角度の変化を行なっていないので、子供の腹部が過度に屈曲するということは無く、酸素飽和度の低下を招かない。
【００１１】
好ましくは、突出部は、座面の前方端領域の全幅に亘って形成されている。こうすることにより、子供の両太腿を突出部によって安定して下から支えることができる。
【００１２】
好ましくは、突出部は、幅方向の中央に位置する中央突出部と、この中央突出部の両側に位置する一対の側部突出部とを含む。この場合、中央突出部の突出高さは、側部突出部の突出高さよりも大きくされる。このようにすれば、子供の両脚が左右に振れることがなくなるので、子供の太腿の内側が股ベルトに接触して擦れるということをなくせる。
【００１３】
一つの実施形態では、子供の太腿をより安定して下から支えるために、突出部は、平坦な上面を有している。
【００１４】
この発明に従った座席ハンモックは、乳母車の車体に装着されて座部と背もたれ部とからなる座席を形成するものであって、芯材とこの芯材を覆うカバー部材とを備える。座部は、その前方端領域に、上方に突出した突出部を有する。一つの実施形態では、座部の前方端領域において、芯材の上面とカバー部材との間に突出部を形成する中間部材を含む。他の実施形態では、座部の前方端領域において、芯材は、突出部を形成する突出部分を一体的に有している。上記のような構成を備える座席ハンモックを使用すれば、子供の身体の前方へのずれを防止できる。
【００１５】
この発明に従った座席芯材は、乳母車の車体に装着されて座部と背もたれ部とからなる座席を形成するものであり、芯材の座部が、その前方端領域に、上方に突出した突出部を有することを特徴としている。このような構成を備える座席芯材を使用すれば、子供の身体の前方へのずれを防止できる。
【発明を実施するための最良の形態】
【００１６】
図３〜図５は、この発明の一実施形態である乳母車の座席１０を示している。これらの図では、乳母車の車体の図示を省略している。座席１０は、座面１１と、座面１１の後端縁から上方に立ち上がって延びる背もたれ面１２と、座面１１の前端縁から下方に傾斜して延びている足支え面１５とを備える。背もたれ面１２は、リクライニング調節可能に設けられている。背もたれ面１２の最大後傾角度は適宜選ばれるが、一つの実施形態では、背もたれ面１２は、ベッド状の形態を実現できるようにほぼ水平位置にまで後傾できるようにされる。座席１０がベッド状の形態とされるときには、足支え面１５もほぼ水平位置にもたらされ、子供の両足を下から支える。
【００１７】
座席１０には、子供の身体を拘束するためのシートベルトが設けられている。このシートベルトは、座席に着座した子供の股間を上方に延びるように座面１１から引き出された股ベルト１３と、股ベルト１３の上端部に連結される一対の腰ベルト１４とを含む。一つの実施形態では、股ベルト１３の上端部分はループ状に形成され、腰ベルト１４はこのループ状部分を通過するようにされる。一対の腰ベルト１４の先端部分は、図示を省略したバックルを介して着脱可能に連結されている。
【００１８】
図３および図４から明らかなように、座面１１の前方端領域、具体的には股ベルト１３よりも前方に位置する領域には、上方に突出した突出部２０が設けられている。この突出部２０は、座面１１の前方端領域の全幅に亘って形成されており、幅方向の中央に位置する中央突出部２１と、この中央突出部２１の両側に位置する一対の側部突出部２２とを含む。中央突出部２１の突出高さは、側部突出部２２の突出高さよりも大きい。例えば、中央突出部２１の突出高さを２ｃｍ程度とし、側部突出部２２の突出高さを１ｃｍ程度とする。また、突出部２０の前後方向の長さを１１ｃｍ程度とする。
【００１９】
突出部２０は、座席１０に着座した子供の両太腿を下から支えるものである。両太腿を安定して支えるために、図示した実施形態では、中央突出部２１および側部突出部２２は、それぞれ、平坦な上面を有している。突出部２０の材質としては、ある程度の保形性を有するものであるならば、どのようなものを使用してもよい。
【００２０】
図５は、座席に着座した子供の両脚と突出部２０との位置関係を正面から見た図である。子供の両太腿は一対の側部突出部２２によって下から支えられている。両脚の間には、突出高さが大きい中央突出部２１が位置しているので、子供の両脚が左右に振れることが無くなる。したがって、子供の両太腿の内側が股ベルト１３に接触して擦れるということをなくすことができる。
【００２１】
図３〜図５に示した実施形態によれば、子供の両太腿が突出部２０上に位置することにより、座席１０上での子供の前方へのずれを防止できる。座面１１の中央領域および後方端領域に関しては、特に形状の変化や傾斜角度の変化を行なっていないので、子供の腹部が過度に屈曲するということは無く、酸素飽和度の低下を招かない。
【００２２】
図６は、この発明の他の実施形態である座席ハンモック３０を示している。座席ハンモック３０は、乳母車の車体に装着されて座席を形成するものであり、芯材３１，３２，３３と、この芯材を覆うカバー部材３４とを備える。図示した実施形態では、芯材は、背面芯材３１と、座面芯材３２と、足支え芯材３３とを含む。
【００２３】
図６に示す座席ハンモック３０の特徴は、座部が、その前方端領域に上方に突出した突出部を有していることである。このような突出部を形成するために、図示した実施形態では、座面芯材３２の前方端領域とカバー部材３４との間に、中間部材３５を収納している。他の実施形態として、座面芯材３２に突出部を一体的に設けるようにしてもよい。
【００２４】
図７は、この発明のさらに他の実施形態である座席芯材４０を示している。座席芯材４０は、乳母車の車体に装着されて座部と背もたれ部とからなる座席を形成するものである。図示する座席芯材４０は、背面部４１と、座面部４２と、足支え面部４３とを含む。座席芯材４０の特徴は、座部４２が、その前方端領域に上方に突出した突出部４４を有していることである。
【００２５】
図面を参照してこの発明のいくつかの実施形態を説明したが、それらは本発明を例示的に説明したものである。したがって、この発明と同一の範囲内において、あるいは均等の範囲内において、図示した実施形態に対して種々の修正や変更を加えることが可能である。
【産業上の利用可能性】
【００２６】
この発明は、酸素飽和度の低下を招かずに座席に着座した子供の前方へのずれを防止するものであるので、乳母車の座席、座席ハンモックおよび座席芯材に有利に利用され得る。
【図面の簡単な説明】
【００２７】
【図１】従来の座席に着座した子供を示す図である。
【図２】図１を側面から見た図である。
【図３】本発明の一実施形態である乳母車の座席を示す斜視図である。
【図４】図３に示した座席に子供が着座している状態を側面から見た図である。
【図５】子供の両脚が突出部上に置かれている状態を示す正面図である。
【図６】本発明の他の実施形態である座席ハンモックを示す断面図である。
【図７】本発明のさらに他の実施形態である座席芯材を示す断面図である。
【符号の説明】
【００２８】
１０  座席、１１  座面、１２  背もたれ面、１３  股ベルト、１４  腰ベルト、１５  足支え面、２０  突出部、２１  中央突出部、２２  側部突出部、３０  座席ハンモック、３１  背面芯材、３２  座面芯材、３３  足支え芯材、３４  カバー部材、３５  中間部材、４０  座席芯材、４１  背面部、４２  座面部、４３  足支え面部、４４  突出部。
【図１】
2005193789.tif 000003
【図２】
2005193789.tif 000004
【図３】
2005193789.tif 000005
【図４】
2005193789.tif 000006
【図５】
2005193789.tif 000007
【図６】
2005193789.tif 000008
【図７】
2005193789.tif 000009